(57)【特許請求の範囲】
【請求項１】
胴部分と、前記胴部分に接続される襟部分と、前記胴部分及び前記襟部分の前側に配置されるセンサ素子と、少なくとも第１の閉鎖素子及び第２の閉鎖素子とを有するベルト装置において、前記第１の閉鎖素子が前側における前記襟部分の一部であり、前記第２の閉鎖素子が前記ベルト装置の前側における前記胴部分の一部であり、前記第１及び第２の閉鎖素子が開閉可能であり、前記襟部分は、着用時に前記第１の閉鎖素子を閉鎖されることにより首を囲む、ベルト装置。
【請求項２】
前記襟部分が、少なくとも１つの調節可能な接続素子により前記胴部分に接続される、請求項１に記載のベルト装置。
【請求項３】
前記調節可能な接続素子が、前記ベルト装置の後ろ側に配置される、請求項２に記載のベルト装置。
【請求項４】
前記調節可能な接続素子が、前記襟部分及び前記胴部分の取り外し可能な接続を可能にする、請求項２又は３に記載のベルト装置。
【請求項５】
着用者の肌に対する前記センサ素子の連続的な接触を保証するために前記センサの少なくとも１つに対して圧力を提供する圧力素子を有する、請求項１に記載のベルト装置。
【請求項６】
前記圧力素子が調節可能である、請求項５に記載のベルト装置。
【請求項７】
電子モジュールを有する、請求項１に記載のベルト装置。
【請求項８】
前記ベルト装置が電子モジュールを有し、前記電子モジュールが前記圧力素子の少なくとも一部である、請求項５に記載のベルト装置。
【請求項９】
前記第２の閉鎖素子が、電力及び／又はデータ転送用の電気接続部を有する、請求項７に記載のベルト装置。
【請求項１０】
前記胴部分の長さが調節可能である、請求項３に記載のベルト装置。
【請求項１１】
前記センサの位置が調節可能である、請求項１に記載のベルト装置。
【請求項１２】
前記胴部分及び前記襟部分が、複数の異なるサイズの胴部分及び複数の異なるサイズの襟部分から選択される、請求項１に記載のベルト装置。
【請求項１３】
前記電子モジュールが、ＥＣＧデータを収集及び記憶する記憶モジュールを有する、請求項７に記載のベルト装置。
【請求項１４】
前記電子モジュールが、データ転送用の無線リンクを有する、請求項７に記載のベルト装置。
【請求項１５】
前記胴部分の一部及び前記襟部分の一部が、発泡材料からなる、請求項１に記載のベルト装置。
【請求項１６】
請求項１に記載のベルト装置において使用される胴部分において、前記襟部分に接続する調節可能な接続部の一部及び他の接続部の一部を有する、胴部分。
【請求項１７】
請求項１に記載のベルト装置において使用される襟部分において、前記胴部分に接続する調節可能な接続部の一部及び他の接続部の一部を有する、襟部分。
【請求項１８】
良くフィットされたベルト装置を提供するために最初の使用時の場合に着用者に対して請求項１に記載のベルト装置をフィットさせる方法において、
前記着用者の上体に対して良いサイズである、１つの前記襟部分を選択するステップと、
前記着用者のウエストサイズに対して前記胴部分を選択するステップと、
前記選択された胴部分を前記選択された襟部分と接続するステップと、
前記襟部分の長さを調節するステップと、
前記胴部分を調節するステップと、
センサ位置を調節するステップと、
を有する方法。
【発明の詳細な説明】
【技術分野】
【０００１】
本発明は、ベルト装置（belt device）を対象とする。このシステムは、特に、ＥＣＧ電極を着用するのに使用可能である。
【背景技術】
【０００２】
携帯型ＥＣＧ機器及び方法が、ＥＰ１０９５６１２Ａ１に記載されている。前記携帯型ＥＣＧ機器は、電極ガーメント（electrode garment）及び診断システムを有する。前記電極ガーメントは、有利な場所に取り付けられた複数の電極を持つベストである。前記電極ガーメントは、様々なカスタマイズされた位置に前記電極の各々を手動で配置する手段を含むことができ、このような位置は、前記電極が変更されることができるようにマークされることができる。この場合、１つのコード化されたガーメントが、複数の個人により共有されることができる。前記電極ガーメントが、例えば面内の各電極を移動する一対のモータの使用により、各電極の配置を自動的に制御する手段を持つことができると考えられる。更に、前記ベストは、胴部分及び一対の肩ストラップからなる。前記胴部分は、好ましくは、ナイロン生地のような肌に快適な材料からなる。前記胴部分は、ベルクロにより閉じられることができる。前記電極ガーメントは、前記診断システムに接続され、前記診断システムは、素人に理解可能な診断を提示する。
【０００３】
企業Leidel & Kracht GmbH, Bremerhavenerstrasse 39, D-50735 Kolnは、潜在的な顧客に対して前記企業の専門的なスキルを宣伝するためにサンプルを配布する。これらのサンプルは、一体化されたスロットを有する発泡材料断片を示し、目盛りが前記スロットに平行に配置される。前記スロットの底部は、ベルクロで覆われる。前記ベルクロは、ファスナの一部として使用されることができる。
【発明の開示】
【発明が解決しようとする課題】
【０００４】
本発明の目的は、着用者により自分で容易に身に付けられることができるベルト装置を提供することである。本発明の他の目的は、着用者に対して快適に適合されることができるベルト装置システムを提供することである。
【課題を解決するための手段】
【０００５】
本発明の問題は、胴（torso）部分、襟（collar）部分、センサ素子及び少なくとも第１及び第２の閉鎖素子（closure element）を有するベルト装置の使用により解決され、ここで、前記第１の閉鎖素子は、前記襟部分の一部であり、前記ベルト装置の前側に構成される。したがって、前記着用者が前記第１の閉鎖素子を開閉するのは容易である。第２の閉鎖素子は、前記胴部分の一部であり、前側に構成され、両方の閉鎖素子の開閉は、前記着用者により快適に操作されることができる。
【０００６】
一実施例において、前記襟部分は、少なくとも１つの調節可能な接続素子により前記胴部分に取り外し可能に接続される。前記調節可能な接続素子の使用により、前記襟部分は、前記着用者の上体の高さに調節されることができる。
【０００７】
一実施例において、少なくとも２つの接続素子が配置され、前記襟部分は、胴部分に対して接続可能かつ分離可能である。調節が可能な範囲を選択することにより、異なるサイズの人の範囲をカバーするのに必要とされる襟部分の数が決定される。一実施例において、前記前側の閉鎖素子の１つが、前記襟部分を前記胴部分と接続することを可能にする。
【０００８】
ベルト装置システムは、異なるサイズの胴部分に接続可能な、異なるサイズの複数の襟部分により提供される。前記襟部分の１つ及び前記胴部分の１つを選択し、これらを接続することにより、ベルト装置が供給される。必要とされる襟部分の数を減少するために、範囲は、２ないし２５ｃｍで選択される。前記襟部分は、前記着用者の体によくフィットし、良いセンサ肌接触を保証する。良い肌センサ接触は、信頼できるセンサ信号を生成するために必要とされる。
【０００９】
１つの可能な実施例において、前記調節可能な接続は、前記ベルト装置の後ろ側に配置される。後ろ側における前記調節可能な接続の配置により、前記着用者による不所望な再調整が防止される。
【００１０】
調節の可能性により、前記ベルトシステムは、異なるサイズの人に対して使用可能である。特にＥＣＧ測定に対して、前記センサが良い肌接触状態にあることは非常に重要である。柔らかい可撓性材料の使用により、センサは、柔らかい部分が肌に対してすり寄ることにより状態を保ち、これは、センサと肌の接触に対して好ましい効果を持つ。更に、前記ベルト装置を着用するのがより快適である。
【００１１】
１つの可能な実施例において、前記ベルト装置は、前記センサに割り当てられた１つ以上の圧力素子を有する。圧力素子により、前記着用者の肌に対する前記センサの連続的な接触が向上される。特に調節可能な圧力素子、例えばジェルパッド（gel pads）が使用されることができる。したがって、圧力は、肌表面の凹凸と無関係に前記着用者の肌に対する前記センサの所定の接触圧力を保証するように調整されることができる。非常に頻繁に、老人又は肥満の人は、非常に凹凸のある肌表面を持ち、これらの人々は、心臓病の危険グループに属する。長い期間にわたり又はより頻繁にＥＣＧを測定することにより、心臓病で死ぬリスクは減少される。
【００１２】
１つの可能な実施例において、前記閉鎖素子の少なくとも１つが、電力及び／又はデータ転送用の電気接続を有する。
【００１３】
前記可能な実施例の１つにおいて、調整可能な胴部分が使用される。前記胴部分の長さは、所定の範囲内で調節されることができる。調節可能性の範囲を選択することにより、利用可能な胴部分の１つを他の患者又は着用者にフィットさせることができるのに必要とされる胴部分の数が決定される。調節可能性の小さな範囲を選択することにより、必要とされる胴部分の数は上昇する。調節可能性の大きな範囲を使用することにより、前記着用者にとって快適さがより低い。
【００１４】
１つの可能な実施例において、５ｃｍないし２５ｃｍの調節可能性の範囲が選択され、特に２０ｃｍ前後のステップは、異なるサイズの胴部分の扱いやすい量をもたらす。
【００１５】
１つの可能な実施例において、前記センサ素子は、前記センサの位置が調節可能であるように前記ベルト装置により保持される。前記センサ位置は、前記胴又は襟部分に対して変更されることができる。特に、前記センサ素子を２ないし７ｃｍの範囲でシフトする可能性は有用である。異なるセンサ位置は、調節可能性の異なる範囲と関連付けられることができる。
【００１６】
ベルト装置システムは、異なるサイズの複数の襟部分及び異なるサイズの複数の胴部分により構築され、全ての襟部分は、前記システムの全ての胴部分と接続可能である。前記襟部分及び前記胴部分の選択された調節可能性に依存して、異なるサイズの胴及び襟部分の数が、異なるサイズの人の所定の範囲をカバーするように決定される。選択された襟部分及び選択された胴部分の組み合わせにより、異なるサイズの人に対する適切なベルト装置が提供される。
【発明を実施するための最良の形態】
【００１７】
図１において、ベルト装置が図示される。電極がこのベルト装置により保持される。使用される電極の数及び電極位置は、結果を生成する使用されるアルゴリズムに依存する。図示された例において、センサ信号は、心電図（ＥＣＧ）を生成するのに使用される。
【００１８】
診断臨床心電図（ＥＣＧ）の規格は、胸部において特定の位置に配置された１０の電極の読み出しから導き出された１２誘導（lead）（チャネル）ＥＣＧである。通常、訓練された専門家が、糊付けされた電極を所要の解剖学的位置に配置する。現在はPhilips Medical Systemsの一部であるZymed Medical Instrumentationは、１２誘導ＥＣＧに対する縮小された電極構成を導入し、これは、ＥＡＳＩ  ＬＥＡＤと命名され、参照によりここに組み込まれるＷＯ０１６０２５０に記載されている。ＥＡＳＩ  ＬＥＡＤを使用することにより、特定の解剖学的ランドマークに配置された５つの電極が、前記１２誘導ＥＣＧを計算するのに十分な情報を含む３つチャネルを提供する。
【００１９】
１２誘導ＥＣＧの測定は、従来の電極構成及びＥＡＳＩ誘導電極構成の両方で、素人には実行可能ではない正確な電極配置を必要とする。電極と、素人による胸部における電極の容易かつ繰り返し可能な配置（ＥＡＳＩ誘導）を可能にする電子素子に対する着用可能なベルト装置が提案される。前記ベルト装置内の電極位置は、個人の解剖学的構造にフィットするように調節可能である。この調節は、一度専門家により行われるべきであり、前記着用者により変更されるべきでない。前記着用可能なベルト装置を身に付けるために、前記ベルト装置は、前記電極位置に触れずに開けられることができる。電極、ケーブル及び電子素子は、前記ベルト装置に固定される（fastened）。好ましくは、前記ベルト装置は、前記電子部品及び前記ベルト装置の別々の生産、容易な組み立て及び例えば掃除のための容易な分離を可能にするケーブルダクトを有する。前記ベルト装置の本体の中に前記ケーブルを一体化することも可能である。
【００２０】
前記ベルトシステムの下は、図１及び２に基づいて原理的に記載される。ベルト装置１は、襟部分３及び胴部分５を有する。ベルトシステム１は、５つのセンサ７を配置するのに使用される。記載された実施例において、乾燥活性ゴム電極（dry active rubber electrodes）７が使用される。乾燥ゴム電極は、着用するのに快適である。乾燥活性ゴム電極は、再使用可能であり、短いセットアップ時間を持ち、肌のかぶれを引き起こさない。更に、乾燥電極は、高い信頼性の信号を生成する。
【００２１】
前記図示された実施例において、トップセンサ９は、喉頭の下の短い距離に配置される。胸骨センサ１１は、前記トップセンサの下のある距離に配置される。前記襟部分の設計により、前記トップセンサの肌接触が維持される。特に、平面構造を持たない首の周りの環は、トップセンサ９の良い肌接触を援助する。
【００２２】
更に、左側センサ１５及び右側センサ１３は、前記着用者の上体の両側において胸骨センサ１１の高さに配置される。グラウンドセンサ１７が、トップセンサ９の高さに配置される。上に記載したように、このセンサ位置は、唯一の可能な配置であり、前記ベルトシステムの意図される使用に依存する。前記グラウンドセンサの位置は、他のセンサの位置より順応性がある。
【００２３】
襟部分３は、首用の開口４と、前側２３に配置された第１の閉鎖部１９とを有する。この第１の閉鎖部は、前記襟部分の首を囲む部分の一部である。トップセンサ９及び胸骨センサ１１の位置のため、前記第１の閉鎖部は、右又は左側に配置される。前記位置は、患者が右利きか又は左利きかに依存して適合されることができる。
【００２４】
トップセンサ９及びグラウンド電極１７も、前側２３に配置される。トップセンサ９は、襟部分３に対して約４ｃｍの範囲で調節可能である。調節により、前記センサ位置は、信頼できる測定を生じるようにうまく配置されるように前記着用者にフィットされることができる。
【００２５】
更に、襟部分３は、襟部分３を胴部分５に接続する接続部２９及び調節可能な接続部２７を有する。前記図示される例において、調節可能な接続部２７は、後ろ側２５に配置される。この調節可能な接続部は、前記着用者の上体の高さに襟部分３をフィットさせるのに使用される。この調節は、一個人により前記ベルト装置の最初の使用の前に一度だけ行われなければならない。この調節プロセスにおいて、前記センサ位置も、前記着用者の体に対して調節される。通常は、専門家が前記調節を実行する。前記調節が行われた後に、前記着用者は、第１の閉鎖素子１９及び第２の閉鎖素子２１を開閉することにより前記ベルト装置を着脱することができる。したがって、前記着用者は、第三者による手助けを必要としない。前記着用者は、前記ベルト装置を頭からかぶらなくてもよく、これは、ベルト装置１を着脱するのをより快適にする。
【００２６】
胴部分５もセンサを有する。胸骨センサ１１並びに右側センサ１３及び左側センサ１５は、胴部分５により配置される。前記左側センサ及び前記右側センサは、約５ｃｍの範囲で調節可能５９である。電子モジュール３３は、胴部分５により配置される。前記電子モジュールは、デジタル／アナログコンバータ、記憶モジュール６７、無線リンク６及び小さなバッテリ３５を有する。電子モジュール３５は、別々の部分に切り離されることができる。前記センサの全てが、電子モジュール３３に接続される。電子接続部６１は、第２の閉鎖素子２１及び接続部２９に一体化される。
【００２７】
襟部分３の部分７１は、発泡材料からなり、非常に柔らかく、肌の上に着用するのに快適である。後ろ側２５において、襟部分ストラップの部分７３、７５が配置される。前記ストリップは、調節に使用される。上部ストラップ７３により、長さが６．５ｃｍの範囲で調節可能である。弾性ストラップが使用されることができる。
【００２８】
胴部分５の前面部７９、７７は、発泡材料からなる。胴部分５は、後ろ側２５に配置されたストラップ８１、８３、８５をも有する。前記ストラップの長さは、胴部分５をユーザのサイズに対して調節するように調節されることができる。ストラップ８１及び８５の長さは、各々９ｃｍの範囲で調節可能である。前記ストラップの長さは、前記電極の肌接触が保証されるように調節される。前記ストラップの長さの調節により、前記センサの接触圧力が調節されることができる。
【００２９】
場合により、前記センサ素子が良い肌接触を持つことを確実にするために圧力素子が使用される。特に、人が動いている場合、前記センサの肌接触が中断される高いリスクが存在する。特に、前記センサが凹凸のある肌表面の凹所に配置される場合、前記センサに対する高い接触圧力を生じるのは難しい。この場合、圧力素子３１は、接触圧力の生成を支援するのに使用されることができる。
【００３０】
図３及び４において、襟部分３の代替的な設計が図示される。この実施例において、電子モジュール３３は、襟部分３の後ろ側に配置される。場合により、前記電子モジュールの部分は、圧力モジュールとして使用されることができ、前記電子モジュールの当該部分は、肌の反対側において前記センサ上に配置される。前記襟部分を締め付けることにより、前記センサは、前記肌に押し付けられ、前記センサ上に配置された前記モジュールは、前記肌の方向に押される。
【００３１】
一実施例において、電子モジュール３３の異なる構成が使用される。この場合、バッテリ３５は、電子モジュール３３から離れて配置される。
【００３２】
ベルト装置システムを提供するために、複数の異なるサイズの襟部分３及び複数の異なるサイズの胴部分５が提供される。襟部分３の全てが、胴部分５の各々と組み合わせて使用されることができる。各襟部分３が、前記患者／着用者の上体の高さの範囲に割り当てられ、胴部分５の各々が、胸囲のサイズの範囲に割り当てられる。前記着用者の上体のサイズに依存して、胴部分５及び襟部分３が選択される。この場合、選択された襟部分３は、接続部２９及び調節可能な接続部２７により選択された胴部分５と接続され、１つの可能なベルト装置１を構成する。
【００３３】
表２において、異なるサイズの胴部分５及び襟部分３のステップがリストされる。この場合、１つの襟が、５つの確立された衣服サイズに割り当てられる。したがって、この比較的少数の襟部分３及び胴部分５により、異なるサイズを持つ人の広い範囲がカバーされる。この場合、襟部分３は、約６．５ｃｍの範囲で調節されることができる。１つの胴部分は、１９ｃｍの範囲で修正されることができる。調節の範囲を小さくすることにより、前記ベルト装置システムは、より正確にフィットされることができ、重複するストリップの長さが減少される。更に、より多くの調節可能性を統合することにより、調節は、より正確に行われることができる。不利点は、この場合、調節がより複雑になり、前記調節可能な接続部及び調節可能な素子により、より高い価格が生じることである。異なるサイズの襟部分及び胴部分の更なる減少のために、アダプタは、前記選択された襟／胴部分の最小の位置における調節の場合に上にある長いストラップを防止するのに使用されることができる。
【００３４】
特に、更に他の調節可能な接続部への接続部２９の交換により、首の位置が常に襟部分３の開口４の中間に配置されることを確実にすることができる。
【００３５】
前記ベルトシステムを着用者に対して調節するために、まず、胴部分５は、調節可能なストラップ８１、８５の使用により締め付けられる。次いで、襟部分３が、前記調節可能な接続部の使用により締め付けられる。
【００３６】
ベルクロ及びスナップ留め（snap fastening）のような固定装置（fastening device）が、電極、ケーブル及び電子素子の固定に使用されることができる。したがって、ウェアラブル（wearable）及び電子部品の別々の生産、容易な組み立て及び分解が可能にされる。
【００３７】
表１において、具体的なセンサ位置がリストされる。この例において、３９歳の人が前記着用者である。前記着用者の身長は１８４ｃｍであり、体重は７５ｋｇである。首周囲は３９ｃｍであり、胸囲は９５ｃｍである。ウエスト周囲は８６ｃｍである。上体の高さは約５０ｃｍである。前記着用者の確立された衣服のサイズは、ドイツの衣服サイズの４８である。首から測定された胸骨の高さは３０ｃｍである。この場所は、胸骨センサ１１に対する正しい位置である。胸囲は、胴部分５により保持される前記センサの高さにおいて９３．５ｃｍである。これらは、左側センサ１５、右側センサ１３及び胸骨センサ１１である。喉頭の下側から胸骨センサ位置までの測定された距離は、１２．５ｃｍである。首からトップセンサ９位置までの測定された距離は、１７ｃｍである。トップセンサ９位置と胸骨センサ１１位置との間の距離は、７．５ｃｍである。
【００３８】
表２において、確立されたサイズがリストされる。５つの確立されたサイズは、１５ｃｍの範囲で調節されることができる１つの胴部分５によりカバーされる。
【表１】
0005543104.tif 000002
【表２】
0005543104.tif 000003
【符号の説明】
【００３９】
１  ベルト装置
３  襟部分
４  （首用の）開口
５  胴部分
７  センサ素子
９  トップセンサ
１１  胸骨センサ
１３  右側センサ
１５  左側センサ
１７  グラウンド電極／センサ
１９  第１の閉鎖素子
２１  第２の閉鎖素子
２３  前側
２５  後ろ側
２７  調節可能な接続部
２９  接続部
３１  圧力素子
３３  電子モジュール
３５  バッテリ
３７  送信器
３９  Ｄ／Ａコンバータ
４１  導通性閉鎖素子
４３  データライン
４５  記憶部
４７  乾燥センサ
５３  発泡材料
５５  弾性ベルト
５９  センサの調節可能な領域
６１  電子接続部
６３  長さ
６５  センサ位置
６７  記憶モジュール
６９  無線リンク
７１  襟
７３  ストラップ
７５  ストラップ
７７  ストラップ
７９  ストラップ
８１  ストラップ
８３  ストラップ
８５  ストラップ
【図面の簡単な説明】
【００４０】
【図１】ベルト装置を示す。
【図２】単一の部分を表すことにより図１のベルト装置を示す。
【図３】ベルト装置の異なる設計を前面図で示す。
【図４】図２のベルト装置を背面図で示す。
【図５】バッテリ及び電子モジュールの配置の異なる可能性を概略的に示す。
【図１】
0005543104.tif 000004
【図２】
0005543104.tif 000005
【図３】
0005543104.tif 000006
【図４】
0005543104.tif 000007
【図５】
0005543104.tif 000008